Podtech/llm-jp-corpus-v4-ja_patent huggingface dataset:
(57)【要約】【課題】  本考案は、開閉が容易で、収容量に応じて大きさを変更することができ、天蓋なしでも雨滴の浸入を確実に防止することのできるリュックサックを新規に提供して、従来のリュックサックのもつ課題を解決するようにしたのである。【解決手段】  本考案はリュックサックの主収容部を上方に向けて延長するとともに、延長端を平坦にして、該延長端の内面に開閉用の平面ファスナーを取付け、且つ背側の外面の両端に締付けバンドを取付けて、リュックサック内の収容物の量によって該平面ファスナーを軸に延長端を内側に１回乃至複数回折り巻きして且つ両端をバンド閉めにて内折りすることを特徴とするリュックサックにある。【選択図】図１
0003101765.tif 000002
【実用新案登録請求の範囲】
【請求項１】
リュックサックの主収容部を上方に向けて延長して平坦で口の大きい延長端を形成し、該延長端の内面に開閉用の平面ファスナーを取付け、且つ背側の外面に締付けバンドを取付けて、リュックサック内の収容物の量によって該平面ファスナーを軸に延長端を内側に１回乃至複数回折り巻きして且つ両端を内折りしておいて該締付けバンド閉じすることを特徴とするリュックサック。
【考案の詳細な説明】
【技術分野】
【０００１】
この考案はリュックサック、詳しくは開閉が容易で、入れる物の量の増減によってリュックサックを大小に使い分けすることができ、しかも雨滴の流入が確実に防止されるリュックサックに関するものである。
【背景技術】
【０００２】
この種のリュックサックとしては実開平６−７５２２４号公報がある。該公報は主容体１における少なくとも上面部２と正面部３が一枚の生地で形成されていて、この上面部と正面部との渡り左右側縁部分を残して開口している出入れ口７の蓋部８がファスナーで開閉可能に形成されているリュックサックを記載している。
【特許文献１】実開平６−７５２２４号公報
【考案の開示】
【考案が解決しようとする課題】
【０００３】
しかしながら、ファスナーによる蓋部のコ形に至る開閉は、片手で押えておいて他方の手で引具を操作しなければならないことにより、低学年，幼児および老人においては開閉操作が容易でなく、またファスナー部分から雨滴がリュックサック内に流入するという課題がある。またリュックサックは入れる物の増減にかかわらず一定の大きさを保持し続けて少なくしても小さくすることはできないという課題がある。
【課題を解決するための手段】
【０００４】
本考案はリュックサックの主収容部を上方に向けて延長して平坦で口の大きい延長端を形成し、該延長端の内面に開閉用の平面ファスナーを取付け、且つ背側の外面に締付けバンドを取付けて、リュックサック内の収容物の量によって該平面ファスナーを軸に延長端を内側に１回乃至複数回折り巻きして且つ両端を内折りしておいて該締付けバンド閉じするようにして、かかる課題を解決するようにしたのである。
【考案の効果】
【０００５】
本考案は以上のようにして、リュックサックを上方に向けて延長して、延長端を平面ファスナーの接離にて開閉するようにしたので、老幼を問わず容易且つ簡易に開閉することができ、しかも内容物の増減によって延長端を平面ファスナーを軸に１乃至複数回折り巻きすることにより、リュックサックを大小に変形させることができ、両端を内折りしてから締付けバンドにて緊張締めするようにしたので、雨滴の流入が全く生じないという効果を生ずる。
【考案を実施するための最良の形態】
【０００６】
本考案は、リュックサックの主収容部を開口したまま上方に向けて延長するとともに、延長端を平坦にして、該延長端の内面に開閉用の平面ファスナーを取付け、且つ背側の外面の両端に締付けバンドを取付けて、リュックサック内の収容物の量によって該平面ファスナーを軸に延長端を内側に１回乃至複数回折り巻きして且つ両端を内折りしてバンド締めするようにして、平面ファスナーの着脱ということで物の出し入れのための延長端の開閉を容易にし、収容量に応じてリュックサックを大小に使い分けることができ、しかも天蓋で覆うことなくしても雨滴の浸入を防止することができるものとなる。
【実施例１】
【０００７】
防水性の生地で形成するリュックサック１の主収容部２を開口したまま上方に向けて延長して且つ延長端２ａを平坦にして、該延長端２ａの内面に雌雄の平面ファスナー３ａ，３ｂを取付け、延長端２ａの背側の外面の両端に雌雄の締付けバンド４ａ，４ｂを取付けてなる。なお、５ａ，５ｂ，５ｃは両側と前面のポケット、６は背負ベルトである。
【０００８】
本考案のリュックサック１は締付けバンド４ａ，４ｂを外し、平面ファスナー３ａ，３ｂの噛着を解いて延長端２ａを開いて、この開いた延長端２ａから主収容部２内に物を入れて後、図２（ａ）に示すように平面ファスナー３ａ，３ｂを合わせ閉じして閉塞するのであるが、収容量の多さによって、例えば図３（ａ）に示すように延長端２ａ近くまで物を詰め入れたときは、図２（ｂ）乃至（ｄ）に示すように合わせ閉じした平面ファスナー３ａ，３ｂを軸にして１回または２回巻き折りしてから両端を内折りして締付けバンド４ａ，４ｂを締結するのである。図３（ｂ）に示すように収容量が少ないときは、その分延長端２ａの内折りを３回、４回と重ねた巻付け状態にして且つ両端を内折りして締付けバンド４ａ，４ｂを締結するのである。いずれの場合も平面ファスナーで閉じた開口を巻き折りして内側に覆い込むようにしたので雨滴の浸入を確実に防止することができることとなる。なお、平面ファスナー３ａ，３ｂは対向する各中間に間隙を置いて取付けて開閉のための指入れ隙間を設けることもある。
【産業上の利用可能性】
【０００９】
本考案のリュックサックは以上のようにして、開閉が容易且つ簡易で、また収容量に応じて大小に使い分けすることができ、雨滴の流入も確実に防止することができるので、老人から幼児まで広く便利に使用することができるものとなる。
【図面の簡単な説明】
【００１０】
【図１】延長端を開口した状態にて示す斜視図
【図２】（ａ）は平面ファスナー間を掛着して口閉じした状態を示す部分斜視図、（ｂ）は閉じた平面ファスナー部分軸にして１回巻き折りした状態の斜視図、（ｃ）はさらに２回巻きした状態の斜視図、（ｄ）は両端を内折りして締付けバンド締めした状態の斜視図
【図３】（ａ）は収容量が多い場合の閉じ状態を示す斜視図、（ｂ）は収容量が少ないときにリュックサックを小さく使用する場合の斜視図
【符号の説明】
【００１１】
１はリュックサック
２は主収容部
２ａは延長端
３ａ，３ｂは平面ファスナー
４ａ，４ｂは締付けバンド
５ａ，５ｂ，５ｃはポケット
６は背負ベルト
【図１】
0003101765.tif 000003
【図２】
0003101765.tif 000004
【図３】
0003101765.tif 000005
(57)【要約】      （修正有）【課題】３６０度回転可能なクッションの提供。【解決手段】回転盤３と底盤１の間に取り付けられたビーズシート２を利用し、ビーズシートのビーズ２２が回転盤の円形軌道３１内をスライド可能とされ、これにより回転盤の上のクッション本体４、スポンジ５及びカバー６で組成されたクッションが、底盤の上で３６０度回転可能とされる。【選択図】図２
0003101770.tif 000002
【実用新案登録請求の範囲】
【請求項１】
中央に穿孔を具えた底盤と、
円形網状の座体であり、それぞれにビーズが嵌め込まれた複数のビーズ孔を具え、中心に中心孔を具えたビーズシートと、
底端に異なる直径の円形軌道が設けられ、該円形軌道にビーズシートのビーズが挿入されてスライドし、底部中央にネジ孔が設けられた回転盤と、
底部が該回転盤に結合されたクッション本体と、
該クッション本体の上端に接着されたスポンジと、
該スポンジを被覆すると共にクッション本体の底端を被覆するカバーと、
を具え、ネジが底盤の穿孔及びビーズシートの中心孔を貫通して回転盤のネジ孔にねじ込まれて底盤、ビーズシート及び回転盤が位置決めされ、ビーズシートが回転盤を駆動して底盤の上で３６０度回転させられることを特徴とする、３６０度回転可能なクッション。
【考案の詳細な説明】
【技術分野】
【０００１】
本考案は一種の３６０度回転可能なクッションに係り、特に、使用者が任意にクッションを回転させることができ、サラリーマンや行動に不自由のある老人、病人或いは自動車の座席に置くのに適したものに関する。
【背景技術】
【０００２】
一般にクッションの使用範囲は非常に広く、日常生活中で椅子や自動車のシート或いはベッドの上で使用される。伝統的なクッションはいずれも固定されて回転移動不能の構造であり、行動に不自由のある老人や病人にとっては、身体の位置を変換したりベッドから降りる時に、非常に不便であり、改善が求められている。
【考案の開示】
【考案が解決しようとする課題】
【０００３】
本考案は従来のクッションの欠点を改善した３６０度回転可能なクッションを提供することを目的とし、それはビーズシート上の複数のビーズが回転盤底部の円形軌道に沿ってスライドしてクッションを駆動して底盤上で回転、スライドさせ、これにより３６０度の四方向のいずれにも任意に回転させることができ、日常生活での便利性を増したものとする。
【課題を解決するための手段】
【０００４】
請求項１の考案は、
中央に穿孔を具えた底盤と、
円形網状の座体であり、それぞれにビーズが嵌め込まれた複数のビーズ孔を具え、中心に中心孔を具えたビーズシートと、
底端に異なる直径の円形軌道が設けられ、該円形軌道にビーズシートのビーズが挿入されてスライドし、底部中央にネジ孔が設けられた回転盤と、
底部が該回転盤に結合されたクッション本体と、
該クッション本体の上端に接着されたスポンジと、
該スポンジを被覆すると共にクッション本体の底端を被覆するカバーと、
を具え、ネジが底盤の穿孔及びビーズシートの中心孔を貫通して回転盤のネジ孔にねじ込まれて底盤、ビーズシート及び回転盤が位置決めされ、ビーズシートが回転盤を駆動して底盤の上で３６０度回転させられることを特徴とする、３６０度回転可能なクッションとしている。
【考案の効果】
【０００５】
本考案の３６０度回転可能なクッションは、底盤と回転盤の間に設けられたビーズシートを利用し、３６０度回転可能とされ、長時間座る人、行動に不便のある老人や患者に生活上の便利性を提供する。本考案の実用性は明らかであり、その構造は従来にはなく、新規性を有している。
【考案を実施するための最良の形態】
【０００６】
添付の各図に示されるように、本考案は底盤１、ビーズシート２、回転盤３、クッション本体４、スポンジ５及びカバー６が組み合わされてなる。そのうち、底盤１の底部中央に穿孔１１が設けられてネジＡの挿通に供され、ビーズシート２は円形網状の座体とされ、その上に複数のビーズ孔２１が設けられ、各ビーズ孔２１にそれぞれスチール製のビーズ２２が嵌め込まれて２４粒のビーズ２２が網状のビーズシート２に配設されている。ビーズシート２の上方に回転盤３が設けられ、該回転盤３の底端に三つの異なる直径の円形軌道３１が設けられ、各ビーズ２２が円形軌道３１内に収容され、回転盤３の底部の中心にネジ孔３２が設けられ、ビーズシート２が底盤１と回転盤３の間に収容されてネジＡが底盤１の穿孔１１とビーズシート２の中心孔２３に挿通されて回転盤３のネジ孔３２にねじ込まれ、こうして底盤１、ビーズシート２及び回転盤３が位置決めされる。
【０００７】
回転盤３の上端にはクッション本体４が接着され、クッション本体４の上方にスポンジ５が接着され、スポンジ５の上がさらにカバー６で被覆され、該カバー６はクッション本体４の底端を被覆して着脱可能で洗浄に便利である。
【０００８】
図４に示されるように、以上の部品からなるクッションは、３６０度の任意回転可能であり、ビーズシート２が回転盤３、クッション本体４、スポンジ５及びカバー６を駆動して回転盤３の上で回転させる。
【図面の簡単な説明】
【０００９】
【図１】本考案の斜視図である。
【図２】本考案の分解斜視図である。
【図３】本考案の部分断面図である。
【図４】本考案の実施例図である。
【符号の説明】
【００１０】
１  底盤                １１  穿孔                ２  ビーズシート
２１  ビーズ孔          ２２  ビーズ              ２３  中心孔
３  回転盤              ３１  軌道                ３２  ネジ孔
４  クッション本体      ５  スポンジ              ６  カバー
Ａ  ネジ
【図１】
0003101770.tif 000003
【図２】
0003101770.tif 000004
【図３】
0003101770.tif 000005
【図４】
0003101770.tif 000006
(57)【要約】【課題】  耳垢をとる際にも、綿塊を形成する繊維の先端を毛羽立たせて設け、異物を絡みやすく形成することにより、耳垢が取れ易く、また、耳に当接しても痛くない、便利な綿棒を開発・提供することにある。【解決手段】  綿棒（１）において、該綿棒の棒部材（２）の一端に、先端に進むに従って拡開し、かつ、先端面（Ａ）、または／および、周縁部（Ｂ）の繊維（３ａ）を毛羽立たせて形成した綿塊（３）を設けたことを特徴とする綿棒から構成される。【選択図】        図１
0003101723.tif 000002
【実用新案登録請求の範囲】
【請求項１】
綿棒（１）において、該綿棒の棒部材（２）の一端、あるいは両端に、先端に進むに従って拡開し、かつ、先端面（Ａ）、又は／および、周縁部（Ｂ）の繊維（３ａ）を毛羽立たせて形成した綿塊（３）を設けたことを特徴とする綿棒。
【考案の詳細な説明】
【技術分野】
【０００１】
この考案は、綿棒に関するものである。
【背景技術】
【０００２】
従来、衛生用品の一つである綿棒は、プラスチック製の棒本体の一端、あるいは両端に、先端部が球状の紡錘状の綿体を設けたものであった。
【０００３】
そして、これらは、例えば、傷口に軟膏や液薬を塗布するために使用したり、耳掃除に使用したり、水泳やシャワーを浴びた後、耳に入った水を、綿棒の綿塊に吸収させて除去する等、用途は広いものである。
【０００４】
しかし、これらの綿棒は、先端が丸い球状に形成されており、耳垢を取る場合には、取れ難く、また、先端が丸い球状に形成されているため、耳に当接する場合、硬く、痛い場合もあった。
【特許文献１】特開２００２−３４８３０
【考案の開示】
【考案が解決しようとする課題】
【０００５】
以上のように、耳垢をとる際にも、綿塊を形成する繊維の先端を毛羽立たせて設け、異物を絡みやすく形成することにより、耳垢が取れ易く、また、水泳の後、あるいはシャワーを浴びた後に、耳に入った水を綿塊で吸収して除去するために使用する際も、耳に当接しても痛くない、便利な綿棒を開発・提供することにある。
【課題を解決するための手段】
【０００６】
この考案は、綿棒において、該綿棒の棒部材の一端、あるいは両端に、先端に進むに従って拡開し、かつ、先端面、あるいは、周縁部の繊維を毛羽立たせて形成した綿塊を設けた綿棒を構成するものである。
【考案の効果】
【０００７】
この考案によると、綿棒の先端面や縁面の繊維を毛羽立たせて設けたため、綿塊を耳内で回転させれば、毛羽立った繊維が耳垢を絡め捕ることができ、また、球状に固形されてないため、耳の壁に当接しても、痛くない等の格別の効果を有するものである。
【考案を実施するための最良の形態】
【０００８】
この考案の最良の形態は、綿棒において、該綿棒の棒部材の一端、あるいは両端に、先端に進むに従って拡開し、かつ、先端面、又は／及び、周縁部の繊維を毛羽立たせて形成した綿塊を設けたことを特徴とする綿棒である。
【実施例】
【０００９】
次に、この考案の一実施例を図１に従って説明すると、綿棒（１）において、該綿棒の棒部材（２）の一端に、先端に進むに従って拡開し、かつ、先端面（Ａ）、あるいは、周縁部（Ｂ）の繊維（３ａ）を毛羽立たせて形成した綿塊（３）を設けたことを特徴とする綿棒から構成される。
【００１０】
さらに、この考案の他の実施例を図２に従って詳述すると、綿棒（１）において、該綿棒の棒部材（２）の両端に、先端に進むに従って拡開し、かつ、先端面（Ａ）、あるいは、周縁部（Ｂ）の繊維（３ａ）を毛羽立たせて形成した綿塊（３）を設けたことを特徴とする綿棒から構成される。
【００１１】
また、さらに、この考案の他の実施例を図３に従って詳述すると、棒部材（１）の他の一端には、耳掻き（４）を設けたり、他のものを設けてもよいものである。
【００１２】
また、綿塊（３）は、先端に進むに従って拡開し、かつ、先端面（Ａ）、あるいは、周縁部（Ｂ）の繊維（３ａ）を毛羽立たせて形成したと述べたが、綿塊（３）は、略円錐形状であり、その先端面（Ａ）および周縁部（Ｂ）が軽く固まった形状であり、これら表面には、繊維（３ａ）を毛羽立たせて設けてもよいものである。
【産業上の利用可能性】
【００１３】
この考案は、綿棒の製造技術を確立することにより、かつ寄与する点で産業上の利用可能性を有する。
【図面の簡単な説明】
【００１４】
【図１】この考案の一実施例を示す斜視図である。
【図２】この考案の他の実施例を示す斜視図である。
【図３】この考案のさらに他の実施例を示す斜視図である。
【符号の説明】
【００１５】
１  綿棒
２  棒部材
３  綿塊
３ａ  繊維
Ａ  先端面
Ｂ  周縁部
【図１】
0003101723.tif 000003
【図２】
0003101723.tif 000004
【図３】
0003101723.tif 000005
(57)【要約】      （修正有）【課題】磁石式押え具で可燃部と不燃部の分別廃棄のため、磁石と合成樹脂の本体部との分離を容易にする。【解決手段】嵌め込みまたはインサ−ト成型により、合成樹脂の本体部に磁石を埋設するようにし、磁石３を囲む合成樹脂部分に切れ目２１を設け、この切れ目の両側から外方に向けて突堤２２部分を合成樹脂の本体部と一体的に形成し、向き合う上記突堤部分にドライバＤを入れて磁石を囲む合成樹脂部を広げ磁石を脱落させ得るようにした。【選択図】図２
0003101797.tif 000002
【実用新案登録請求の範囲】
【請求項１】
合成樹脂本体部の下面に磁石を囲む周壁を本体部と一体的に形成し、この周壁には切れ目を設けて磁石を部分的に囲む樹脂壁とし、この樹脂壁の切れ目の両側から外方に突堤を延出させ、この対向する突堤によって突堤間に溝を構成し、この溝にドライバを挿入可能にしてなる磁石式押え具。
【考案の詳細な説明】
【技術分野】
【０００１】
本考案は画鋲とか文鎮の代わりに磁石を使って紙片を留めておくための磁石式押え具に関するものである。
【背景技術】
【０００２】
磁石式押え具は磁石を埋設した合成樹脂成型品であって、廃棄の際かってはそのまゝ廃棄していたが、色々な物の廃棄に当り、可燃物と不燃物を分別することが求められるようになって来たので、磁石式押え具でも合成樹脂本体部と磁石とを分けて廃棄することが望まれる。
【０００３】
従来の磁石式押え具はフェライト系の磁石を用いていたから磁石が大きく、押え具本体の下面に接着剤で接着していた。それ故磁石と押え具本体との接着面の一部に、ドライバの先を挿入できる切欠部を設けておいて廃棄の際、ドライバで磁石を外せるようにしていた。
【０００４】
近事磁石式押え具等でネオジウム磁石が用いられるようになって来たが、この磁石はきわめて強力であり、小さな磁石で充分紙押えの力を発揮できるので、磁石を合成樹脂成型品の本体部にインサ−ト成型又は嵌め込みで取り付けていた。
【特許文献１】登録実用新案第３０７５９９７号公報
【考案の開示】
【考案が解決しようとする課題】
【０００５】
上述したようにネオジウム磁石を用いた磁石式押え具では磁石が小さくインサ−トによる埋め込み又は嵌め込み式になっているので、磁石の下にドライバを入れる切欠けを設けておくスペ−スがなく、ドライバで磁石を外せるようにしておくことが困難であった。そこで本考案はこれを可能して廃棄の際の磁石の取り外しを容易にしようとするものである。
【課題を解決するための手段】
【０００６】
押え具の合成樹脂よりなる本体部下面に磁石を囲む周壁部を上記本体部と一体的に形成し、且つこの周壁部に複数箇所の切れ目を設けておき、この切れ目の両側で上記周壁部から外方に延出させて突堤を形成した。この切れ目の所は成型のとき金型の突出部が磁石に当たっているので、磁石の温度上昇を防ぐ作用も得られる。
【０００７】
そして上記突堤は磁石を囲む周壁の切れ目の両側から延出しているので、一対の突堤が向き合って溝を形成しているようになり、この溝にドライバを入れてこじると溝幅を広げ磁石を脱落させることが出来るのである。
【考案の効果】
【０００８】
磁石式押え具で埋め込み式又は嵌め込み式で磁石を取付ける場合でも磁石の回収が容易に出来るようになった。
【考案を実施するための最良の形態】
【０００９】
ネオジウム磁石を用いた合成樹脂性の磁石式押え具に適用した。
【実施例】
【００１０】
図に本考案の一実施例の磁石式押え具を示す。図１Ａはこの磁石式押え具を相手面Ｅに吸着させた状態を示し、押え具の全体は背の低い茸状で、傘部１の下面中央の脚部２の下端に磁石３が埋め込まれている。押え具はこの磁石によって机面とか家具の側面等Ｅに吸着される。傘部１の上面は中央が凹ませてあり、押え具を相手面Ｅから離すときは図１Ｂに示すように傘部１の上面の凹みの偏った位置を人指し指Ｆで押すと押え具全体が磁石の縁の一点を支点に傾くから、親指で跳ね上がった側の傘部１の縁を引き起こせば、挺子の作用で容易に押え具を相手面から離すことが出来る。
【００１１】
図２は上例の下面を示す。磁石３は５×５ｍｍの四角形で厚さは２ｍｍのネオジウム磁石である。この磁石３は四隅を上記脚部２を構成する樹脂壁で囲まれており、この樹脂壁２は磁石３の四辺中央で切れて切れ目２１が形成されている。この切れ目部分は成型時の金型では凸部となっていて、この凸部は金型内で磁石３と当接している。樹脂壁２は上記切れ目２１の両側から外方に延びる突堤２２が延出している。突堤２２は切れ目２１の両側から延びているので互いに向き合い、間に溝２３を構成している。この溝２３にドライバＤの先端を入れてこじると溝幅が広がり、磁石３を押え具の樹脂本体部から外すことが出来る。
【産業上の利用可能性】
【００１２】
本考案は廃棄の際、磁石と合成樹脂部分とを分別することを求められる磁石式押え具に利用され、特に小さくても強力なネオジウム磁石を用いた磁石式押え具に適したものである。
【図面の簡単な説明】
【００１３】
【図１】本考案の一実施例の縦断側面図。
【図２】上記の下面図。
【符号の説明】
【００１４】
１    傘部
２    脚部（樹脂壁）
３    磁石
２１  切れ目
２２  突堤
【図１】
0003101797.tif 000003
【図２】
0003101797.tif 000004
(57)【要約】      （修正有）【課題】紫外線を使用した水質検査機の検査部の小型化とコストダウンを可能にする。【解決手段】標準的に光源（１）、試料（２）、レンズ（５）、フィルター（３）、受光センサ（４）となる検査部から、レンズ（５）を取り除くとともに、検査部をユニット化し、それぞれの間隔を最小化し、小型化、あるいは一体化する。【選択図】図１
0003101792.tif 000002
【実用新案登録請求の範囲】
【請求項１】
標準的に使用されるレンズ（５）を取り除き、光源部（１）、試料部（２）、分光部（３）、受光部（４）の間隔を最小にし、小型化、あるいは一体化した検査部。
【考案の詳細な説明】
【技術分野】
【０００１】
紫外線を使用し水質を検査する検査器に関するものである。
【背景技術】
【０００２】
従来の紫外線を使用する検査器の検査部の構成は、紫外、可視分光光度計が、光源部、分光部、試料部、受光部、ＵＶ検査器が、光源部（１）、比較検出部、試料部（２）、レンズ（５）、分光部（３）、受光部（４）となっていた。
【０００３】
紫外、可視分光光度計は、発光できる波長全てにおいてほぼ同じ光量を放つランプを、単独、もしくは複数使用して光を放ち、分光部において、紫外線（２５４ｎｍ）を選び、試料部を通し、受光部で受けることになる。
【０００４】
ＵＶ検査器は光源部（１）のランプに、水銀灯を使用し、比較検出器を通して、試料部に送り、弱くなった光量をレンズ（５）によって増幅して、受光部（４）でうけている。
【考案の開示】
【考案が解決しようとする課題】
【０００５】
これまでの紫外線を使用する水質検査器、検査部の問題点は、小型化が構造的に困難な点で、これにより、機器がどうしても大きくなるだけでなく、金額的にも高価なものになっていた。
【課題を解決するための手段】
【０００６】
検査部を小型化するには、光源部（１）から、受光部（４）までの間隔を最小にすることが重要で、そのために、あえてレンズ（５）を取り除いた構造にし、また、光源部（１）、試料部（２）、分光部（３）、受光部（４）それぞれの間隔を最小にすることで小型化した。
【考案の効果】
【０００７】
本考案は、紫外線を使用した検査器の検査部のユニット化を可能にし、また、発光部のランプが小型のものでも使用できるため、ランプの駆動部も小型化ができ、検査器自体の小型化と、コストダウンを可能にした。
【考案を実地するための最良の形態】
【０００８】
レンズ（５）を取り除き光源部（１）、試料部（２）、分光部（３）、受光部（４）として、その間の間隔を最小化するが、実際は、光源部（１）と試料部（２）の間隔は、試料をこぼした場合などを考慮して、試料部（２）と分光部（３）の間隔は、試料の取り出しに支障が出ない程度に間をとることになる。分光部（３）と受光部（４）は支障がない限り、接触させている。
【実地例１】
【０００９】
以下に実地例を挙げて本考案を説明するが、これらは、本考案を限定するものではない。
【００１０】
下記の表は、代表的な分光光度計と対比したものである。
【００１１】
試験水は典型的な試料として河川水、浄化槽排水、浸出水、畜産排水、食品工場廃水をそれぞれサンプル利用。ただし、原水のろ過は孔径０．４５ミクロンのもので行った。従来の紫外、可視分光光度計に対する相関係数は、原水が０．９８３６と濾過後が０．９９３３とほぼ１に近いあたいとなっている。
【表１】
0003101792.tif 000003
【図面の簡単な説明】
【００１２】
【図１】本発明の構造を示したものである。
【符号の説明】
【００１３】
１    光源部
２    試料部
３    分光部
４    受光部
５    レンズ  （本考案で取り外しました。）
【図１】
0003101792.tif 000004
(57)【要約】  【課題】  小物販売用の包装ケ−スをその小物の使用時の収納ケ−スにも兼用し片手で開閉できるようにする。  【解決手段】  角筒状の外ケ−スと外ケ−スに抽斗式に出し入できる内ケ−スとで小物入れを構成し、内ケ−スの一側縁に張出し縁を形成しておき、外ケ−スの方には一稜線に沿って切れ込みを設けて、上記張出し縁がこの切れ込みから外に張り出すようにし、外ケ−スを握って握った手の親指でこの張出し縁を押動して抽斗状の内ケ−スを外ケ−スから片手で引き出せるようにした。【選択図】  図１
0003101798.tif 000002
【実用新案登録請求の範囲】
【請求項１】
一端が閉じており、他端が開口している筒状の外ケ−スと上面が開放された箱形で上記外ケ−スに抽斗式に出入自在に挿入される内ケ−スとよりなり、上記外ケ−スの一側稜に沿って切れ込みを設け、内ケ−スの上記側稜に対応する側縁に張出し縁を設けて、内ケ−スを外ケ−ス内に挿入したときこの張出し縁が上記外ケ−ス一側稜の切れ込みから外部に露出しているようにしてなる小物入れケ−ス。
【考案の詳細な説明】
【技術分野】
【０００１】
本考案はゼムピン，画鋲等の小物文具を入れる小物入れケ−スに関するものである。
【背景技術】
【０００２】
ゼムピンとか画鋲等の小物文具は名刺大のケ−スに入れた形で店頭に置かれ、使用者の方でもそのケ−スに入れたまゝの状態で保管しておき、必要に応じて一つ二つ取出して使用するのが普通である。
【０００３】
しかしこの小物入れケ−スは店頭販売用の荷姿を与えると云う機能だけが考えられ、家庭や事務所で使う場合の小物収納ケ−スと云う面の考慮は殆どされておらず開閉が不便であった。
【特許文献１】登録実用新案登録第３０５６４４６号公報
【考案の開示】
【考案が解決しようとする課題】
【０００４】
上述したように小物を入れるケ−スは販売上の利便性から考えられていたが、使用者側でも便利なように片手で開閉できる小物入れケ−スを提供しようとするものである。
【課題を解決するための手段】
【０００５】
一端が閉じており、他端が開口している筒状の外ケ−スと上面が開放された箱形で上記外ケ−スに抽斗式に出入自在に挿入される内ケ−スとよりなり、上記外ケ−スの一側稜に沿って切れ込みを設け、内ケ−スの上記側稜に対応する側縁に張出し縁を設けて、内ケ−スを外ケ−ス内に挿入したときこの張出し縁が上記外ケ−ス一側稜の切れ込みから外部に露出しているようにし、外ケ−スを握り、その握った手の親指を上記張出し縁に当てゝ、内ケ−スを外ケ−スより押し出す方向に押動して内ケ−スを外ケ−スより引き出せるようにした。
【考案の効果】
【０００６】
本考案小物入れケ−スは片手で抽斗式の内ケ−スを出し入れできるので、中の物の出し入れが楽であり、店頭での小物包装容器と家庭や事務所で使うときの小物収納ケ−スの兼用ケ−スとして便利なものである。
【考案を実施するための最良の形態】
【０００７】
ゼムピンや画鋲等を小分けして売る小売店やコンビニエンスストア等で店頭に陳列しておく場合の包装容器に適用する。
【実施例】
【０００８】
図を用いて本考案の一実施例を説明する。１は外ケ−ス、２は内ケ−スで共にポリプロピレン等の合成樹脂で成型されたものであり、透明または半透明で中の物が見えるようになっている。外ケ−ス１は稍扁平な角形断面の筒で一端は開口しており、他端は底面１１（実際上は上面）で塞がれている。この底面１１は円弧状に膨らんで真中が凹ませてあり、その上に橋絡部１２が設けられていて、外ケ−ス上部にケ−ス前面から後面に貫通する貫通孔１３が形成されている。この貫通孔１３は販売店で陳列棚の横棒をこの孔に通して外ケ−ス１を吊下げ陳列して置くためのものである。
【０００９】
内ケ−ス２は上述外ケ−ス１に対し抽斗式に出入できる箱形である。また内ケ−スの底面（背面）は下部が次第に浅くなって傾斜面２３となっている。このため内ケ−スを全部引き出さなくても、図示のように縦の状態にすると内容物は自然にこの傾斜面に沿って下がって来て、外ケ−スの下縁と内ケ−スの底面との開いた隙間から出て来る。
【００１０】
内ケ−ス２には一側縁に沿って横方向に張り出した張出し縁２４が形成してある。他方この一側縁に対応する外ケ−ス１の側稜線に沿って切れ込み１４が設けられており、内ケ−ス２を外ケ−ス１に挿入した状態では、上記張出し縁２４が外ケ−スの上記切れ込み１４から外方に向かって露出している。それ故この張出し縁２４には外ケ−ス内から直接指を触れることができ指で張出し縁２４を図示矢印のように下方に押すことで、内ケ−ス２を外ケ−ス１から引き出すことが出来る。
【００１１】
外ケ−ス１の背面壁には縦方向に２条の透溝１５が設けられている。一方内ケ−ス２の底面にはこの透溝に沿って摺動する２列４個の突起２５，２５′が外に向かって突設されている。このため内ケ−ス２を外ケ−ス１から引き出すときは二段の節動感が与えられる。その第一段は下の横列２個の突起２５′が外ケ−スの透溝１５の下端を乗り越えて外ケ−スの外へ出るときで、この節動感によって内ケ−ス２は単なる自重や軽い力で外ケ−スから脱落しないようになっている。
【００１２】
第２段の節動感は内ケ−スの上の横一列の突起２５が内ケ−スの透溝１５の下端を越えるときに生じ、これは内ケ−ス２を外ケ−ス１から完全に抜き出すときである。第２段の節動感の存在により通常はこの節動感を感じる前に内ケ−スの引き出しを止めることが出来るようになり、内ケ−スを不用意に全部引き出して、中の小物を散乱させてしまうと云う失敗が避けられることになる。
【００１３】
内ケ−ス２の張出し縁２４と反対側の側縁にも下端部に小さな張出し部２６が形成してあり、外ケ−ス１の切れ込み１４と反対側の稜線の下端部に小さな切れ込み１６が設けられていて、張出し部２６が外ケ−ス１の外に露出するようになっている。この張出し部２６も内ケ−ス２を引き出すときに利用できる。
【産業上の利用可能性】
【００１４】
上述した実施例は文具小物入れに関するものであるが、本考案は文具に限られず、ボタンやスナップ等の衣料用小物或は小物菓子類の販売用ケ−スにも適用可能である。
【図面の簡単な説明】
【００１５】
【図１】実施例小物入れケ−スの斜視図。
【図２】上記の縦断側面図。
【図３】上記の水平断面図。
【符号の説明】
【００１６】
１    外ケ−ス
２    内ケ−ス
１３  貫通孔
１４  切れ込み
１５  透溝
２４  張出し縁
２５，２５′  突起
【図１】
0003101798.tif 000003
【図２】
0003101798.tif 000004
【図３】
0003101798.tif 000005
(57)【要約】【課題】部品が少なく、設置が速く、消耗品を少なくし、且つ実用的な内視鏡用口当て構造を提供する。【解決手段】内視鏡用口当て構造は、管体１及び固定ハンドル２から構成される。そのうち、管体は円筒形で、その一側面には開口１１が形成され、内には上下に貫通した差込部１２が成形される。また、その一端には固定ハンドルが連接され、この固定ハンドル一側面適所には貫通したバインド紐孔２１が穿設される。固定ハンドルと同じ側の管体両側適所には耳部１３が一組成形され、その耳部適所にはそれぞれ穿孔１３１が穿設され、そこに頭部固定紐６が通される。【選択図】図３
0003101750.tif 000002
【実用新案登録請求の範囲】
【請求項１】
管体と固定ハンドルから構成された内視鏡用口当て構造において、
円筒形状で、その一側面には開口が成形され、内側上下には差込部が成形され、そこに導入管が挿し込まれるもので、一端には固定ハンドルが連接される管体と、
一側面適所に貫通したバインド紐孔が穿設される固定ハンドルから構成され、固定ハンドルと同じ側端部の管体両側適所に突出した一組の耳部が成形され、その耳部の適所にはそれぞれ貫通した穿孔が穿設され、そこに頭部固定紐を通すことを特徴とする内視鏡用口当て構造。
【請求項２】
前記穿孔は、適する箇所に突出した紐当て凹部が成形されることを特徴とする請求項１記載の内視鏡用口当て構造。
【考案の詳細な説明】
【技術分野】
【０００１】
本考案は、内視鏡用口当て構造に関するもので、特に固定構造に関する口当てである。
【背景技術】
【０００２】
公知の口当て５０構造は、図１に示すとおり、固定ハンドル５１、バインド紐孔５２及び外管５３から構成される。そのうち、この外管５３中間には貫通した筒孔５３１が成形され、そこに導入管（図未提示）が挿し込まれる。この固定ハンドル５１は、外管５３一端に連接し、固定ハンドル５１上にはバインド紐孔５２が穿設される。このバインド紐孔５３にバインド紐を通し、導入管を固定ハンドル５１に固定する。
【０００３】
公知の口当て５０を使用する時、使用者の口に外管５３を入れ、テープを貼って外管５３を顔に固定し、口当て５０が外れないようにする。そして外管５３上端から導入管を入れ、バインド紐孔５２で固定する。
【０００４】
上述の口当て外管構造は、テープで固定することによる効果はある。しかし、テープを直接人の皮膚に貼って固定するため、長時間使用すると、皮膚表面の通気が悪くなり、不快感を感じるようになる。また、外れやすくもなり、危険度が高くなる。更にテープは常に交換しなければならないため、材料コストも上がる。
【考案の開示】
【考案が解決しようとする課題】
【０００５】
解決しようとする問題点は、使用者が長時間使用によって、不快感を感じ、且つ外れやすくなるために、危険度が高くなる点である。また、常に交換の必要があるため、材料コストも上がる点である。
【課題を解決するための手段】
【０００６】
本考案は、部品が少なく、設置が速く、消耗品を少なくし、且つ実用的な内視鏡用口当て構造を提案することを最も主要な特徴とする。
【考案の効果】
【０００７】
本考案の内視鏡用口当て構造は、下述の利点がある。
本考案の耳部構造によって、口当てに有効な固定効果を具え、且つ簡便で、公知のテープを貼り付ける不便さ及び不快感が解決する。
本考案の耳部構造によって、口当ての固定効果が向上し、使用時の安全性も高まる。
本考案の耳部の構造によって、頭部固定紐が再利用でき、材料コストを下げる。
【考案を実施するための最良の形態】
【０００８】
図２、図３に示すとおり、本考案の口当て１０は、管体１及び固定ハンドル２から構成される。この管体１は円筒形で、その一側面には開口１１が形成され、上端には差込部１２が成形される。その一端には固定ハンドル２が連接し、その固定ハンドル２一側面の適する箇所にバインド紐孔２１が穿設される。このバインド紐孔２１にバインド紐６を通して使用する。それによって導入管４を固定ハンドル２上に固定する。また、固定ハンドル２と同じ側の管体１両側適所に突出した耳部１３が成形される。この耳部１３の適する箇所にはそれぞれ貫通した穿孔１３１が穿設され、そこに頭部固定紐３を通す。この穿孔１３１の適所には突出した紐当て凹部１３２が成形され、頭部固定紐３で口当て１０を止めた時、上述の耳部１３の構造により、公知のテープによる固定方法から脱却し、固定がより安定し、安全性が高まる。
【０００９】
図３に示すのは、本考案の良好な実施例の一つで、使用時、先ず導入管４を口当て１０の差込部１２に差込み、バインド紐６を導入管４に巻き付け、バインド紐孔２１に通す。導入管４は固定ハンドル２上に固定され、更にセットされた口当て１０を使用者の口に合わせて管体１の下部を含ませる。続いて耳部１３の穿孔１３１に頭部固定紐３を通し、後頭部で締めると、口当て１０の固定が完成する。
【図面の簡単な説明】
【００１０】
【図１】公知の内視鏡の口当て立体図である。
【図２】本考案の内視鏡の口当て立体図である。
【図３】本考案の内視鏡の口当て実施例図である。
【符号の説明】
【００１１】
１        管体
１０        口当て
１１        開口
１２        差込部
１３        耳部
１３１        穿孔
１３２        紐当て凹部
２        固定ハンドル
２１        バインド紐孔
３        頭部固定紐
４        導入管
５０        口当て
５１        固定ハンドル
５２、２１  バインド紐孔
５３        外管
５３１        筒孔
６        バインド紐
【図１】
0003101750.tif 000003
【図２】
0003101750.tif 000004
【図３】
0003101750.tif 000005
(57)【要約】【課題】利用者の居場所に制限を与えることが無いように、情報端末（パーソナルコンピュータ）を遠隔で無線制御できるようにする。【解決手段】携帯装置本体には、操作ボタンと、この操作ボタンの操作により、制御信号を無線送出する手段とを設け、情報端末装置では、前記制御信号に応答して、少なくともカーソル移動制御を得られるようにした。【選択図】      図１
0003101967.tif 000002
【実用新案登録請求の範囲】
【請求項１】
携帯装置本体には操作ボタンと、この操作ボタンの操作により、制御信号を無線送出する手段とを設け、
前記制御信号を受ける情報端末装置では、前記制御信号に応答して、少なくともカーソル移動制御を得られるようにしたことを特徴とする情報端末制御装置。
【請求項２】
前記携帯装置本体には、マイクロホンも設けられていることを特徴とする請求項1記載の情報端末制御装置。
【請求項３】
前記制御信号は、前記カーソルの表示、非表示を行なう制御内容も含むことをことを特徴とする請求項１記載の情報端末制御装置。
【考案の詳細な説明】
【技術分野】
【０００１】
本考案は、例えばプレゼンテーションで使用されるパーソナルコンピュータを、遠隔から操作することができるようにした情報端末制御装置に関する。
【背景技術】
【０００２】
パーソナルコンピュータからの出力イメージ信号をプロジェクタに入力し、プロジェクタからスクリーンに投影する技術がある。この技術は、主に学会発表などのプレゼンテーションにおいて良く利用される。
【考案の開示】
【考案が解決しようとする課題】
【０００３】
スクリーン上にはイメージ信号とともにカーソルも表示される。ところで、このカーソルを移動させようとした場合、パーソナルコンピュータの操作ボタン或はマウスを操作することで移動させている。したがって、発表者或はアシスタントが、パーソナルコンピュータの近くに常駐し、操作を行う必要がある。このために、アシスタントがいない場合、発表者の居場所が制約を受ける。
【０００４】
そこでこの考案は、情報端末（パーソナルコンピュータ）を遠隔で無線制御できるようにし、利用者の居場所に制限を与えることのない情報端末制御装置を提供することを目的とする。
【課題を解決するための手段】
【０００５】
この考案は、マイク機能を装備した携帯装置本体に、この携帯装置本体に設けられた操作ボタンと、この操作ボタンの操作により、制御信号を無線送出する手段とを設け、
情報端末装置では、前記制御信号に応答して、少なくともカーソル移動制御を得られるようにしている。
【考案の効果】
【０００６】
上記の手段により、情報端末装置から離れた遠隔に操作者がいても、携帯端末装置を用いてカーソル移動制御を得られるために、プレゼンテーションなどにおいて、発表者は、自由にその居場所を選ぶことができる。
【考案を実施するための最良の形態】
【０００７】
以下、この考案の一実施の形態を図面を参照して説明する。図１には、本考案の一実施の形態に係る携帯装置本体１００の例を示している。この携帯装置本体１００は、カーソル表示をオン又はオフ状態に制御するためにスイッチＳＷ６が設けられている。またマイクロホンＭも設けられている。
【０００８】
操作ボタンＳＷ１は、画面上でカーソルを上に移動させるためのボタン、操作ボタンＳＷ２は、カーソルを下に移動させるためのボタン、操作ボタンＳＷ３は、カーソルを左に移動させるためのボタン、操作ボタンＳＷ４は、カーソルを右に移動させるためのボタン、操作ボタンＳＷ４は、カーソルを上に移動させるためのボタンである。操作ボタンＳＷ５は、メニュー表示制御及び決定用のボタンである。
【０００９】
図２には、上記の携帯装置本体１００の内部に構築されている情報伝送回路の一例を示している。操作ボタンＳＷ１−ＳＷ６の各出力は、パラレルシリアル変換器２１に入力される。パラレルシリアル変換器２１は、複数の操作ボタン入力をスキャンし、そのスキャン情報（シリアル出力）を無線部２２に出力する。シリアル出力は、いずれのボタンが操作されているかをビット情報として示すことになる。無線部２２は、このビット情報を例えばブルーツース（Blue-tooth）により、送信する。この送信出力は、パーソナルコンピュータにより、受信解読される。
【００１０】
パーソナルコンピュータは、受信した情報に応じて、カーソル表示、カーソルの移動制御を行う。また携帯装置本体１００は、マイクロホンからの音声入力をＡＤ変換器２３でデジタル変換してその変換されたデータを無線部２２を介して送出することができる。この音声データの情報は、音声処理装置（図示せず）により、受信され、増幅されてアナログ音声出力となる。
【００１１】
メニュー操作用の操作ボタンＳＷ５が操作されると、メニューが表示される。
【００１２】
図３には、本考案を用いたプレゼンテーションシステムの一例を示している。スクリーン５００には、プロジェクタ４００から光学像を投射することができる。プロジェクタ４００の光学像は、パーソナルコンピュータ（情報端末装置）３００から入力されるイメージ信号に基づいて生成されている。パーソナルコンピュータ３００は、携帯端末装置本体１００からの無線の制御信号に基づいて、少なくともそのカーソルのオンオフ制御、カーソルの移動制御などが可能となっている。
【００１３】
パーソナルコンピュータ３００は、先の携帯端末装置本体１００から伝送されてきた無線信号を受信し、処理する機能を実現するためのソフトウエアがインストールされている。
【００１４】
メニュー操作用の操作ボタンＳＷ５が操作されると、メニューが表示される。次にカーソル表示させる（操作ボタンＳＷ６の操作）。次に、操作ボタンＳＷ１−ＳＷ４を操作し、カーソルをメニュー表示の所望の位置へ移動させ、メニュー選択ボタン（ＳＷ５）を操作し決定を行う（改ページなどもこの操作で可能である）。
【００１５】
この考案は上記の実施の形態に限定されるものではない。
【００１６】
携帯端末装置本体は、パーソナルコンピュータとの無線対話が可能である。マイクロホンＭだけでなく、スピーカを内蔵させてもよい。そして、例えば病院などで患者にこの携帯端末装置本体１００を持たせることができる。そして、ナースセンターとの対話を行う装置としても利用することができる。
【００１７】
音声・聴覚で対話可能な場合は、マイクロホンとスピーカを利用し、視覚で対話可能な人は、モニタ画面を見ながら、カーソルを移動操作し、ナースセンターとの対話が可能となる。この場合は、モニタ画面に映し出される画像は、各種の対話形式ができるようにそのイメージが工夫されることは勿論である。
【図面の簡単な説明】
【００１８】
【図１】本考案の携帯端末装置本体の外観を示す図。
【図２】図１の携帯端末装置本体内の情報処理及び出力部の構成例を示す図。
【図３】本考案の装置が利用されている様子を示す図。
【符号の説明】
【００１９】
１００…携帯端末装置本体、ＳＷ１−ＳＷ６…操作ボタン、２１…パラレルシリアル変換器、２２…無線部、２３…ＡＤ変換器、２００…パーソナルコンピュータ、４００…プロジェクタ。
【図１】
0003101967.tif 000003
【図２】
0003101967.tif 000004
【図３】
0003101967.tif 000005
(57)【要約】【目的】  従来、球技用のネットを張る時は、張り具に棒状のハンドルを嵌挿して、該具を回転して張設するものであったので、緊張した状態にネットを張るためには、該ハンドルを力１杯最大限回転しなければならなかった。  この作業を使用の都度行なうため、ハンドルが曲がってしまうことがしばしば発生していたので、力まかせにハンドルを回転しなくとも、ネットを緊張した状態に張ることができるハンドルを提供しようとするものである。【構成】  ハンドル形を呈し、片面の中心部に、ネット張り具を回転する嵌挿突起部４を設けたことを特徴とし、嵌挿突起部４を設けた反対面の、適宜所に握り３を佇設した球技用ネットの張り具用ハンドル。【選択図】  図１
0003101970.tif 000002
【実用新案登録請求の範囲】
【請求項１】
輪状のハンドル形を呈し、片面の中心部に、ネット張り具を回転する嵌挿突起部４を設けたことを特徴とする球技用ネットの張り具用ハンドル。
【請求項２】
ネット張り具を回転する嵌挿突起部４を設けた反対面の、適宜所に握り３を佇設した請求項１記載の球技用ネットの張り具用ハンドル。
【考案の詳細な説明】
【考案の詳細な説明】
【技術分野】
【０００１】  本考案は、テニスやバレーボール競技等に使用されるネットを張設するときに用いられる球技用ネットの張り具用ハンドルに関するものである。
【背景技術】
【０００２】  この種のもので、最も一般的な従来品としては図３に示したものが良く知られている。
これらのものは、支柱１０に取付けられたネットの張り具１４を、ハンドル１３を回転してネット１１を張設するものである。したがって、緊張した状態にネットを張るためには、該ハンドルを力１杯最大限回転することとなる。この作業はその都度行われるために、ハンドルが曲がってしまうことがしばしば発生している。
【考案が解決しようとする課題】
【０００３】  したがって本考案では、ハンドルを力まかせに回転することとなく、ネットを緊張した状態に張ることができるネット張り具用ハンドルを提供しようとするものである。
【課題を解決するための手段】
【０００４】  本考案は前記目的を達成するため、輪状のハンドル形を呈し、片面の中心部に、ネット張り具を回転する嵌挿突起部４を設けたことを特徴とし、また、前記突起部４を設けた反対面の、適宜所に握り３を佇設したものである。
【考案を実施するための最良の形態】
【０００５】  本考案の実施の形態を実施例に基づき図面を参照して説明する。
図１及び図２において、本考案の球技用ネット張り具ハンドルを示し、ハンドル本体１は輪状形を呈していて、片面の中心部に、ネット張り具を回転する嵌挿突起部４が設けられたものである。
また、前記突起部４を設けた反対面の適宜所に握り３を佇設したものである。
この佇設される握り３は図１に示したように、内周に設けられた支幹２と輪状のハンドル１との接合所に設けられることが最も望ましい【０００６】  図３は最も一般的な従来品を示したもので、支柱１０に取付けられたネットの張り具１４を、ハンドル１３で回転してネット１１を張設するものである。【０００７】  図４は、ネットの張り具の回転部をカバーした図１のものと共に一般的に知られたネットの張り具１５で、符号１７は支柱に取付けるための止バンドで、符号１３はハンドル、符号１６は、前記の張り具１５を回転させるために張り具内に嵌挿される突起部である。つまり、この突起部を張り具に嵌挿してハンドル１３を廻してネットを張設するものである。
【考案の効果】
【０００８】  本考案は、輪状形を呈し、片面の中心部にネット張り具を回転する嵌挿突起部を設けたすることを特徴とし、また、ネット張り具を回転する嵌挿突起を設けた反対面の適宜所に、握りを佇設して構成されているので、以下に記載の効果を奏するものである。
【０００９】ハンドルが従前の棒状から輪状になってことにより、ハンドルを回転する力が大幅にアップされ、此れまでのようにハンドルが曲がるほど力を入れなくともネット張り具を回転することができるので、ネットを緊張した状態に張ることができる。
また、ハンドルには握りが佇設されるので、負荷が少ないネットを張る最初の段階では、この握りを使用して回転させれば、回転数を上げられるので時間の短縮ができる。
一定の負荷がかかるようになった時点から、輪状ハンドルを廻してネットを張るようにすることができるので、短時間に大きい力を要せず、緊張状態に設営できることは、例えば学校等での使い勝手を大幅に向上する効果は大きい。
【図面の簡単な説明】
【図１】本考案ハンドルに握りを佇設した実施例である。
【図２】図１の反対面である。
【図３】従来品の説明図である。
【図４】図３と共に代表的な従来品の説明図である。
【符号の説明】
１ハンドル    ２支幹    ３握り    ４嵌挿突起部
１０支柱    １１ネット    １３ハンドル    １４，１５ネット張り具
１６嵌挿突起部    １７止バンド
【図１】
0003101970.tif 000003
【図２】
0003101970.tif 000004
【図３】
0003101970.tif 000005
【図４】
0003101970.tif 000006